(57)【特許請求の範囲】
【請求項１】
一枚の箱体形成片から成り、前記箱体形成片には、正面板、第一側面板、背面板、及び第二側面板が順に互いに平行な折罫線を介して連接され、前記正面板と前記背面板の一方には、前記連接方向と平行な端縁に外蓋片が延設され、前記正面板と前記背面板の他方の前記連接方向と平行な端縁に内蓋片が延設され、組み立て状態で、前記正面板、前記第一側面板、前記背面板、及び前記第二側面板から成る筒状体の開口端を、前記内蓋片に前記外蓋片を重ねて閉塞する包装用箱において、
前記第二側面板の前記連接方向の前記背面板と反対側の端部に、組み立て状態で前記正面板の裏面に対面して固定される裏面板が連接され、
前記正面板には、前記連接方向と平行な一方の端縁の両端から連続する一対の破断線と前記端縁の折罫線とで囲まれた開封部が設けられているとともに、前記正面板の前記開封部を形成する前記破断線の先端部間に開封用の透孔が形成され、
前記透孔と対面する前記裏面板の部分には、コ字状の切り込み線によって形成され、前記透孔全体を覆うとともに前記正面板の外側から押圧されると内側に凹む押圧吸収部が形成され、
前記裏面板の前記開封部と対面する端縁に、前記開封部よりも小さく切除され、前記コ字状の切り込み線の両端部の近傍に達する上部逃げ部が形成され、
組み立て状態で、前記透孔から前記破断線を破断して前記開封部を開封した後、前記開封部を前記裏面板の内側に差し込むことによって再封可能としたことを特徴とする包装用箱。
【請求項２】
前記開封部の前記破断線は直線状に形成され、前記透孔が半円状に形成されている請求項１記載の包装用箱。
【発明の詳細な説明】
【技術分野】
【０００１】
この発明は、商品等を収容し両端開口部を糊付けして封止するシールエンドカートン型の包装用箱に関する。
【背景技術】
【０００２】
従来から、商品を収容して搬送し店頭に陳列等するための包装用箱として、一枚のブランクシートから一体的に打ち抜かれた箱体形成片を立体的に組み立てたシートエンドカートン型の包装用箱が使用されている。この箱体形成片には、平行に連接された４つの側面と、一側面の両端部に形成された外蓋片と、組み立て状態でこの側面に対向する側面の両端部に形成された内蓋片と、その他の一対の側面の両端部に形成されたフラップが設けられ、連接方向の外側に位置する一側面の側縁部には小さい糊付片が設けられている。
【０００３】
この箱体形成片を組み立てるときは、糊付片をその反対側の側面裏面に糊付けし、各側面が各々直角になるように起こして四角い筒状体を形成し、筒状体の一端部にある一対のフラップを側面に対して直角に折り曲げ、次に内蓋片を折り曲げ、その内蓋片の表面に糊を塗布し、その上面に外蓋片を折り重ねて糊付けして閉鎖する。そして、商品を収容後、筒状体の他方の端部も同様に閉鎖するものである。
【０００４】
しかし、シールエンドカートンは、一旦開封すると後に再封することができず、箱体内に商品が残っている場合の封止に問題があった。
【０００５】
そこで、例えば、特許文献１，２に開示されているように、開封される一側面に差し込み片を形成し、その内側に内側壁板を設け、開封後にも内側壁板に形成されたスリットに外側の差し込み片を挿入可能に形成された包装用箱が多数提案されている。
【０００６】
また、特許文献３に開示されているように、再封可能な包装用箱であって、蓋体先端部の差し込み部分への差し込みが可能であるとともに、蓋体先端部を側面板側に掛け止めることができるようにし、蓋体の再閉鎖に際して、差し込みと掛け止めを使用者側で自由に選択できるようにした包装用箱も提案されている。
【先行技術文献】
【特許文献】
【０００７】
【特許文献１】特開平９−１９３９２６号公報
【特許文献２】特開２００３−１１２７２４号公報
【特許文献３】特開２００４−９１０１４号公報
【発明の概要】
【発明が解決しようとする課題】
【０００８】
しかし、特許文献１，２に開示された包装容器は、開封後の再封に際して、差し込み片を側面の中央部に形成された差し込み用のスリットに差し込むので、側面の中に形成されたスリットに差し込み片を挿入する操作が難しく、容易に差し込みできないという問題があった。
【０００９】
また、特許文献３に開示された包装用箱は、再封に際して、差し込みと引き掛けを選択できるが、この場合も、差し込み動作は上記と同様に面倒であり、引き掛け片の係止も通常の再封動作と異なり面倒なものであった。
【００１０】
この発明は、上記背景技術に鑑みて成されたものであり、簡単な構造で容易に開封及び再封を行うことができるシールエンドカートン型の包装用箱を提供することを目的とする。
【課題を解決するための手段】
【００１１】
この発明は、一枚のブランクシートから一体的に打ち抜かれた箱体形成片から成り、前記箱体形成片には、正面板、第一側面板、背面板、及び第二側面板が順に互いに平行な折罫線を介して連接され、前記正面板と前記背面板の一方には、前記連接方向と平行な端縁に外蓋片が延設され、前記正面板と前記背面板の他方の前記連接方向と平行な端縁に内蓋片が延設され、組み立て状態で、前記正面板、前記第一側面板、前記背面板、及び前記第二側面板から成る筒状体の開口端を、前記内蓋片に前記外蓋片を重ねて閉塞する包装用箱であって、前記第二側面板の前記連接方向の前記背面板と反対側の端部に、組み立て状態で前記正面板の裏面に対面して固定される裏面板が連接され、前記正面板には、前記連接方向と平行な一方の端縁の両端から連続する一対の破断線と前記端縁の折罫線とで囲まれた開封部が設けられているとともに、前記正面板の前記開封部を形成する前記破断線の先端部間に開封用の透孔が形成され、前記透孔と対面する前記裏面板の部分には、前記透孔全体を覆うとともに前記正面板の外側から押圧されると凹む押圧吸収部が形成され、組み立て状態で、前記透孔から前記破断線を破断して前記開封部を開封した後、前記開封部を前記裏面板の内側に差し込むことによって再封可能とした包装用箱である。
【００１２】
前記押圧吸収部は、コ字状の切り込み線によって形成されているものである。さらに、前記裏面板の前記開封部と対面する端縁に、前記開封部よりも小さく切除され前記コ字状の切り込み線の両端部の近傍に達する上部逃げ部が形成されているものである。
【００１３】
また、前記開封部の前記破断線は直線状に形成され、前記透孔が半円状に形成されているものである。
【発明の効果】
【００１４】
この発明の包装用箱は、簡単な構造で組み立て易く、開封の操作が容易であるとともに、開封後も容易に再封することができる。しかも、既存のシールエンドカートンを形成する包装装置を利用することができ、包装の作業性が良いものである。
【図面の簡単な説明】
【００１５】
【図１】この発明の一実施形態の包装用箱の箱体形成片を示す展開図である。
【図２】この実施形態の包装用箱の箱体形成片を筒状に組み立てた状態を示す斜視図である。
【図３】この実施形態の包装用箱を組み立てた状態を示す斜視図である。
【図４】図３の天面側部分のＡ−Ａ線縦断面図である。
【図５】この実施形態の包装用箱を開封する動作を説明する部分斜視図（ａ）、部分縦断面図（ｂ）である。
【図６】この実施形態の包装用箱を開封する動作を説明する部分斜視図（ａ）、部分縦断面図（ｂ）である。
【図７】この実施形態の包装用箱を再封する際の動作を説明する部分斜視図（ａ）、部分縦断面図（ｂ）である。
【発明を実施するための形態】
【００１６】
以下、この発明の包装用箱の一実施形態について、図１〜図７に基づいて説明する。この発明の一実施形態の包装用箱１０は、図３に示すように、矩形の筒状体の両端部（天面側及び底面側）が各々閉鎖されたシートエンドカートン型の箱体であり、図１に示す箱体形成片１２を組み立てて形成される。
【００１７】
箱体形成片１２は、厚紙等の一枚のブランクシートを打ち抜いて形成され、正面板１４、第一側面板１６、背面板１８、第二側面板２０が順に連接されている。さらに、第二側面板２０の側方には、組み立て状態で正面板１４の裏面側に対向し糊付される裏面板２２が連接されている。正面板１４及び背面板１８はほぼ同形であり、裏面板２２は、それよりも僅かに小さい。第一側面板１６及び第二側面板２０はほぼ同形である。正面板１４、第一側面板１６、背面板１８、第二側面板２０、裏面板２２は、各々折罫線２４，２６，２８，３０で区切られている。
【００１８】
正面板１４の天面側の一端部には、略台形状の外蓋片３２が延設され、折罫線３４で正面板１４と区切られている。外蓋片３２の延設長さは、第一側面板１６の連接方向長さとほぼ等しい。折罫線３４の両端部から僅かに底面側の正面板１４には、その両端から底面方向に斜めに互いに対称に直線状に形成された一対の破断線３６が設けられている。さらに、正面板１４の一対の破断線３６の先端部分には、破断線３６の先端部をつなぎ折罫線３４と平行な直線と略半円弧で囲まれた透孔３８が設けられている。破断線３６と透孔３８及び折罫線３４で囲まれた台形状の開封部４０が、開封時の摘みとなるとともに再封時の差込片となる。
【００１９】
正面板１４の底面側の一端部にも、外蓋片３２とほぼ同形の外蓋片４２が延設され、折罫線４４で正面板１４と区切られている。折罫線４４には、その両端部と重なるとともに折罫線４４の中央部では天面側に円弧状に形成された略Ω状の破断線４５が設けられている。
【００２０】
第一側面板１６の天面側の一端部にはフラップ４６が延設され、折罫線４８で第一側面板１６と区切られている。第一側面板１６の底面側の一端部にも、フラップ４６と同形のフラップ５０が延設され、折罫線５２で第一側面板１６と区切られている。
【００２１】
背面板１８の天面側の一端部には略台形の内蓋片５４が延設され、折罫線５６で背面板１８と区切られている。内蓋片５４の延設方向長さは、第一側面板１６の連接方向長さよりも短い。背面板１８の底面側の一端部にも、内蓋片５４とほぼ同形の内蓋片６０が延設され、折罫線６２で背面板１８と区切られている。
【００２２】
第二側面板２０の天面側の一端部には、フラップ４６とほぼ同形のフラップ６４が延設され、折罫線６６で第二側面板２０と区切られている。第二側面板２０の底面側の一端部にも、フラップ６４と同形のフラップ６８が延設され、折罫線７０で第二側面板２０と区切られている。
【００２３】
裏面板２２の天面側には、組み立て状態で正面板１４の透孔３８と対向する位置に、コ字状の切り込み線７２で囲まれた押圧吸収部７４が形成されている。コ字状の切り込み線７２は、その開口部が天面側を向き、底部が底面側を向いて透孔３８の外側に位置し、透孔３８全体が、裏面板２２の一部分である押圧吸収部７４と対面して覆われるように位置している。裏面板２２の上端部中央には、円弧状に切り取られた上部逃げ部７５が設けられ、上部逃げ部７５は切り込み線７２の両端部の近傍に達している。裏面板２２の下端部中央には、円弧状に切り取られた下部逃げ部７６が設けられ、正面板１４の破断線４５での破断を容易にする。
【００２４】
次に、この箱体形成片１２の組み立て方法について、図１〜図４を基にして説明する。図１は箱体形成片１２を裏面側から見たものであり、以下、箱体形成片１２の表面側が凸になる折り方を正折り、裏面側が凹になる折り方を逆折りと称する。
【００２５】
まず、正面板１４の裏面の両側折罫線と平行に、対面する裏面板２２の押圧吸収部７４の両側に位置する箇所から縦方向に適宜の幅で、図示しない糊を塗布し、折罫線２８を正折りし、折罫線２４を正折りして、裏面板２２の表面と正面板１４の裏面を糊付する。箱体形成片１２は、この状態で包装用箱１０の製造工場から出荷される。
【００２６】
次に、商品を収容し包装する工場等において、折罫線２４，２６，２８，３０を各々９０度になるように正折りし、図２に示すように、四角形の筒状体を形成する。そして、底面側のフラップ５０，６８を各々折罫線５２，７０で９０度に正折りし、外蓋片４２の裏面または内蓋片６０表面に糊を塗布し、内蓋片６０を折罫線６２で９０度に正折りし、外蓋片４２を折罫線４４で９０度に正折りし、外蓋片４２の裏面と内蓋片６０の表面を糊付けする。この作業により、筒状体の底面側の端部が閉鎖される。この後、医薬品等の商品を、筒状体の天面側の開放している端部から内側に挿入する。
【００２７】
次に、天面側のフラップ４６，６４を各々折罫線４８，６６で９０度に正折りし、外蓋片３２の裏面または内蓋片５４の表面に糊を塗布し、内蓋片５４を折罫線５６で９０度に正折りし、外蓋片３２を折罫線３４で９０度に正折りし、外蓋片３２の裏面と内蓋片５４の表面を糊付けする。この動作により、筒状体の天面側の端部が閉鎖され、図３に示す状態になって商品の包装作業が終了する。この状態で、天面側及び底面側は、図４に示す天面側の断面図のように封止された構造となる。なお、上記とは逆に、先に天面側の蓋片を閉じて、底面側から商品を入れた後、底面側の蓋片を閉じても良い。
【００２８】
包装用箱１０を開封及び再封する操作は、以下のように行う。開封するときは、まず、図５（ａ）（ｂ）に示すように、正面板１４の透孔３８を指で押し込んで裏面板２２の押圧吸収部７４を内側に僅かに押し込む。この状態で、破断線３６で囲まれた開封部４０と押圧吸収部７４との間に僅かに隙間ができ、開封部４０の端縁に指を掛ける。そして、開封部４０に指を掛けたまま、上方に引き上げるようにして破断線３６を破断させ、内蓋片５４及び外蓋片３２を開く。このとき、開封部４０は折罫線３４を介して外蓋片３２と連続し、且つ、外蓋片３２及び内蓋片５４が互いに糊付され、開封部４０、外蓋片３２及び内蓋片５４が一体になっているので、本体から分離する部分がなくゴミ等は生じない。
【００２９】
なお、開封時に透孔３８で開封部４０の端縁を摘み、そのまま引き上げて開封しても良く、逆に開封部４０を箱体内側に押圧して、破断線３６を破り、開封しても良く、開封方法は問わない。
【００３０】
この後、図６に示すように、フラップ４６，６４を引き上げることによって筒状体の端部を開放し、中の商品を取り出すことができる。
【００３１】
開封後、包装用箱１０を再封するときは、フラップ４６，６４を閉じ、図７に示すように、開封部４０を裏面板２２の内側に差し込み、係止することによって筒状体の端部を閉鎖する。このとき、開封部４０は裏面板２２の逃げ部７５を塞いで、隙間が空かないように閉じられる。
【００３２】
以上説明したように、この実施形態の包装用箱１０は、簡単な構造で組み立て易く、開封する操作が容易で、開封後は通常の差込片付きの包装用箱と同様に違和感なく確実に再封することができる。また、既存のシールエンドカートンに用いられる包装装置を利用して包装することが可能であり、新規の包装装置を導入する必要がない。
【００３３】
さらに、底面側の外蓋片４２の基端部の位置に破断線４５が設けられているので、包装用箱１０を廃棄する際、破断線４５を破り容易に解体して平坦に折り畳むことができる。
【００３４】
なお、この発明の包装用箱は上記実施形態に限定されるものではなく、筒状体の側面のいずれの面を正面板と背面板にしても良く、この発明では説明上、開封部の設けられた面を正面板と定義したもので、箱体の表示上又は展示上の正面が上記正面板である必要はない。その他、外蓋片と内蓋片の位置は逆でも良く、開封部や押圧吸収部も、天面側だけでなく底面側にも設けて、筒状体の両側を開封及び再封可能な構造にしてもよい。
【００３５】
また、押圧吸収部は、外側からの応圧により内側に凹む構造であれば良く、ミシン線や破断線で区切られ、部分破断するものでも良い。透孔と対面した裏面板は、側面の透孔や破断線と対面した位置に覆いがあれば良く、裏面板の中央部がない場合もあり得るものである。その他、箱体の大きさ、素材、各部材の形状等は適宜変更可能であり、開封部及び透孔の形状は、箱体の素材の強度などを考慮し、適宜設定することができる。
【符号の説明】
【００３６】
１０  包装用箱
１２  箱体形成片
１４  正面板
１６  第一側面板
１８  背面板
２０  第二側面板
２２  裏面板
３２，４２  外蓋片
３６  破断線
３８  透孔
４０  開封部
５４，６０  内蓋片
７２  切り込み線
７４  押圧吸収部
７５，７６  逃げ部
【図１】
0005955077.tif 000002
【図２】
0005955077.tif 000003
【図３】
0005955077.tif 000004
【図４】
0005955077.tif 000005
【図５】
0005955077.tif 000006
【図６】
0005955077.tif 000007
【図７】
0005955077.tif 000008